(57)【特許請求の範囲】
【請求項１】
同期整流器回路における整流器を駆動することに用いられ、変圧器ユニットの二次巻線における出力電流を検出し、且つ前記出力電流に基づき、第１駆動信号を生成することを含む同期整流器駆動方法であって、前記方法は、
同期整流器回路における変圧器ユニットの二次巻線の電圧信号に基づき、保護信号を取得すること、
得られた保護信号を利用して前記第１駆動信号を修正して第２駆動信号を取得すること、及び
前記第２駆動信号に基づき同期整流回路における整流器を駆動することを含み、
前記変圧器ユニットの二次巻線の電圧信号に基づき、保護信号を取得することは、
変圧器ユニットの二次巻線の両端の第１電圧及び第２電圧を検出し、前記第１電圧及び第２電圧の比較結果に基づき、前記保護信号を取得することを含むことを特徴とする同期整流器駆動方法。
【請求項２】
保護信号は第１電圧信号inputＡ及び第２電圧信号inputＢを含み、
前記第１電圧及び第２電圧の比較結果に基づき、前記保護信号を取得することは、第１電圧ＶＡが第２電圧ＶＢより大きい際に、第１電圧信号inputＡがハイレベル信号であり、第２電圧信号inputＢがローレベル信号であり、第１電圧ＶＡが第２電圧ＶＢより小さい際に、第１電圧信号inputＡがローレベル信号であり、第２電圧信号inputＢがハイレベル信号である請求項１に記載の同期整流器駆動方法。
【請求項３】
前記得られた保護信号を利用して前記第１駆動信号を修正して第２駆動信号を取得することは、
第１駆動信号及び保護信号に対してＡＮＤ演算を実行し、ＡＮＤ演算の結果を第２駆動信号とすることを含む請求項１に記載の同期整流器駆動方法。
【請求項４】
変圧器ユニット、電流サンプリングユニット、第１信号処理ユニット、駆動ユニット、及び同期整流器ユニットを備え、前記電流サンプリングユニットは、前記変圧器ユニットの二次巻線における出力電流を検出するように設定され、前記第１信号処理ユニットは、変圧器ユニットの二次巻線における出力電流に基づき、第１駆動信号を生成するように設定される同期整流器回路であって、前記同期整流器回路は、保護ユニット及び第２信号処理ユニットを更に備え、
前記保護ユニットは、同期整流器回路における変圧器ユニットの二次巻線の電圧信号に基づき、保護信号を取得するように設定され、
前記第２信号処理ユニットは、得られた保護信号を利用して前記第１駆動信号を修正して第２駆動信号を取得するように設定され、
前記駆動ユニットは、前記第２駆動信号に基づき同期整流回路における整流器を駆動するように設定され、
前記変圧器ユニットは１つまたは複数の変圧器を含み、各変圧器がいずれも１つまたは複数の二次巻線を含み、前記電流サンプリングユニットは第１計器用変成器及び整流回路を含み、
第１計器用変成器の一次側は第１の二次巻線に直列接続され、前記第１の二次巻線はいずれか１つの変圧器に対応する二次巻線の中の１つであり、第１計器用変成器の二次側は整流回路に接続され、整流回路は第１計器用変成器が出力した電流信号に基づき第１電圧信号ＶＲleft及び第２電圧信号ＶＲrightを生成することを特徴とする同期整流器回路。
【請求項５】
前記第１信号処理ユニットは第１比較回路を含み、前記第１駆動信号は第３電圧信号Ｖleft及び第４電圧信号Ｖrightを含み、
第１比較回路に基準電圧Ｖref1が設定され、第１比較回路は第１電圧信号ＶＲleftと基準電圧Ｖref1を比較することによって、前記第３電圧信号Ｖleftを取得し、第２電圧信号ＶＲrightと基準電圧Ｖref1を比較することによって、前記第４電圧信号Ｖrightを取得し、第３電圧信号Ｖleft及び第４電圧信号Ｖrightはいずれも方形波信号である請求項４に記載の同期整流器回路。
【請求項６】
前記保護ユニットは電圧検出回路及び第２比較回路を含み、前記保護信号は第５電圧信号inputＡ及び第６電圧信号inputＢを含み、
前記電圧検出回路の入力端はそれぞれ第２の二次巻線の両端に接続され、且つ検出された第７電圧信号ＶＡ及び第８電圧信号ＶＢを前記第２比較回路に供給し、前記第２の二次巻線はいずれか１つの変圧器に対応する二次巻線の中の１つであり、
前記第２比較回路は検出された第７電圧信号ＶＡ及び第８電圧信号ＶＢに基づき、第７電圧信号ＶＡと第８電圧信号ＶＢを比較し、第５電圧信号inputＡ及び第６電圧信号inputＢを取得する請求項４に記載の同期整流器回路。
【請求項７】
保護信号は第５電圧信号inputＡ及び第６電圧信号inputＢを含み、
前記第２比較回路は、第７電圧信号ＶＡが第８電圧信号ＶＢより大きい際に、出力した第５電圧信号inputＡがハイレベル信号であり、出力した第６電圧信号inputＢがローレベル信号であり、第７電圧信号ＶＡが第８電圧信号ＶＢより小さい際に、出力した第５電圧信号inputＡがローレベル信号であり、出力した第６電圧信号inputＢがハイレベル信号であるように設定される請求項６に記載の同期整流器回路。
【請求項８】
前記第２信号処理ユニットは、  
第１駆動信号及び保護信号に対してＡＮＤ演算を実行し、ＡＮＤ演算の結果は第２駆動信号とされ、第２駆動信号は第１駆動信号outputＡ及び第２駆動信号outputＢを含み、
第３電圧信号Ｖleft及び第５電圧信号inputＡに対してＡＮＤ演算を実行して、第１駆動信号outputＡを取得し、第４電圧信号Ｖright及び第６電圧信号inputＢに対してＡＮＤ演算を実行して、第２駆動信号outputＢを取得するように設定される請求項６に記載の同期整流器回路。
【請求項９】
請求項４〜８のいずれか一項に記載の同期整流器回路を備えるスイッチング電源。
【発明の詳細な説明】
【技術分野】
【０００１】
本発明の実施例はスイッチング電源分野に関するが、これに制限されなく、特に同期整流器駆動方法、同期整流器回路及びスイッチング電源に関する。
【背景技術】
【０００２】
通信電源の高電力密度及び高効率の需用を満たすために、同期整流技術はＤＣ−ＤＣ電力コンバータに幅広く応用される。しかしながら、整流ダイオードはかなり大きい導通損失があるため、トランジスタからなる整流回路は整流ダイオードからなる回路を取り替える。整流ダイオードを使用する回路に対して、トランジスタを使用して整流する回路の損失がより低く、効率がより高く、同時に、トランジスタを制御する信頼性要求もより高く、駆動による干渉や誤動作等の異常を除去する必要があり、これらの異常は同期整流回路の同一のブリッジアームにおける上下スイッチトランジスタの同時導通を引き起こすことでスイッチトランジスタを損壊してしまい、関連技術においてよく使用される同期整流制御方法は、一般的に、変圧器ユニットの二次巻線における出力電流を検出し、前記出力電流に基づき、第１駆動信号を生成し、第１駆動信号によって同期整流回路における整流器の通断を駆動することを含む。
【０００３】
電流サンプリングディバイスを使用して変圧器ユニットの二次巻線における出力電流、即ち同期整流器の寄生ボディダイオードを流す電流を検出し、電流を通過すると検出した際に同期整流器を開く。しかしながら、電流検出回路は寄生パラメータを有し、出力電流の信号を遅延しやすく、導通及び切断信号の遅延が発生しやすく、同時に、出力電流の信号から変換された第１駆動信号にも遅延現象が存在し且つ電力回路の影響を受けやすくて干渉信号が存在し、これらの干渉信号の振幅は同期整流器のベース駆動電圧閾値を超えた後に、同期整流器の誤導通を引き起こし、更に同期整流器の直接導通を引き起こし、同期整流器を損壊してしまう。
【発明の概要】
【発明が解決しようとする課題】
【０００４】
以下は、本文で詳しく説明した主題の概要である。本概要は請求項の範囲を制限するためのものではない。
【０００５】
本発明の実施例は同期整流器の導通及び切断を正確に制御することができる同期整流器駆動方法、同期整流器回路及びスイッチング電源を提供する。
【課題を解決するための手段】
【０００６】
本発明の実施例は、同期整流器駆動方法を提供し、同期整流器回路における整流器を駆動することに用いられ、前記同期整流器駆動方法は、変圧器ユニットの二次巻線における出力電流を検出し、且つ前記出力電流に基づき、第１駆動信号を生成し、前記方法は、
同期整流器回路における変圧器ユニットの二次巻線の電圧信号に基づき、保護信号を取得すること、 
得られた保護信号を利用して前記第１駆動信号を修正して第２駆動信号を取得すること、及び
前記第２駆動信号に基づき同期整流回路における整流器を駆動することを含む。
選択的に、前記変圧器ユニットの二次巻線の電圧信号に基づき、保護信号を取得することは、
変圧器ユニットの二次巻線の両端の第１電圧及び第２電圧を検出し、前記第１電圧及び第２電圧の比較結果に基づき、前記保護信号を取得することを含む。
【０００７】
選択的に、保護信号は第１電圧信号inputＡ及び第２電圧信号inputＢを含み、
前記第１電圧及び第２電圧の比較結果に基づき、前記保護信号を取得することは、第１電圧ＶＡが第２電圧ＶＢより大きい際に、第１電圧信号inputＡがハイレベル信号であり、第２電圧信号inputＢがローレベル信号であり、第１電圧ＶＡが第２電圧ＶＢより小さい際に、第１電圧信号inputＡがローレベル信号であり、第２電圧信号inputＢがハイレベル信号であることを含む。
【０００８】
選択的に、前記得られた保護信号を利用して前記第１駆動信号を修正して第２駆動信号を取得することは、
第１駆動信号及び保護信号に対してＡＮＤ演算を実行し、ＡＮＤ演算の結果を第２駆動信号とすることを含む。
【０００９】
本発明の実施例は、同期整流器回路を更に提供し、前記同期整流器回路は、変圧器ユニット、電流サンプリングユニット、第１信号処理ユニット、駆動ユニット、及び同期整流器ユニットを備え、前記電流サンプリングユニットは、前記変圧器ユニットの二次巻線における出力電流を検出するように設定され、前記第１信号処理ユニットは、変圧器ユニットの二次巻線における出力電流に基づき、第１駆動信号を生成するように設定され、前記同期整流器回路は、保護ユニット及び第２信号処理ユニットを更に備え、
前記保護ユニットは、同期整流器回路における変圧器ユニットの二次巻線の電圧信号に基づき、保護信号を取得するように設定され、
前記第２信号処理ユニットは、得られた保護信号を利用して前記第１駆動信号を修正して第２駆動信号を取得するように設定され、
前記駆動ユニットは、前記第２駆動信号に基づき同期整流回路における整流器を駆動するように設定される。
【００１０】
選択的に、前記変圧器ユニットは１つまたは複数の変圧器を含み、各変圧器がいずれも１つまたは複数の二次巻線を含み、前記電流サンプリングユニットは第１計器用変成器及び整流回路を含み、
第１計器用変成器の一次側は第１二次巻線に直列接続され、前記第１二次巻線はいずれか１つの変圧器に対応する二次巻線の中の１つであり、第１計器用変成器の二次側は整流回路に接続され、整流回路は第１計器用変成器が出力した電流信号に基づき第１電圧信号ＶＲleft及び第２電圧信号ＶＲrightを生成する。
【００１１】
選択的に、前記第１信号処理ユニットは第１比較回路を含み、前記第１駆動信号は第３電圧信号Ｖleft及び第４電圧信号Ｖrightを含み、
第１比較回路に基準電圧Ｖref1が設定され、第１比較回路は第１電圧信号ＶＲleftと基準電圧Ｖref1を比較することによって、前記第３電圧信号Ｖleftを取得し、第２電圧信号ＶＲrightと基準電圧Ｖref1を比較することによって、前記第４電圧信号Ｖrightを取得する。第３電圧信号Ｖleft及び第４電圧信号Ｖrightはいずれも方形波信号である。
【００１２】
選択的に、前記保護ユニットは電圧検出回路及び第２比較回路を含み、前記保護信号は第５電圧信号inputＡ及び第６電圧信号inputＢを含み、
前記電圧検出回路の入力端はそれぞれ第２二次巻線の両端に接続され、且つ検出された第７電圧信号ＶＡ及び第８電圧信号ＶＢを前記第２比較回路に供給し、前記第２二次巻線はいずれか１つの変圧器に対応する二次巻線の中の１つであり、
前記第２比較回路は検出された第７電圧信号ＶＡ及び第８電圧信号ＶＢに基づき、第７電圧信号ＶＡと第８電圧信号ＶＢを比較し、第５電圧信号inputＡ及び第６電圧信号inputＢを取得する。
【００１３】
選択的に、保護信号は第５電圧信号inputＡ及び第６電圧信号inputＢを含み、
前記第２比較回路は、第７電圧信号ＶＡが第８電圧信号ＶＢより大きい際に、出力した第５電圧信号inputＡがハイレベル信号であり、出力した第６電圧信号inputＢがローレベル信号であり、第７電圧信号ＶＡが第８電圧信号ＶＢより小さい際に、出力した第５電圧信号inputＡがローレベル信号であり、出力した第６電圧信号inputＢがハイレベル信号であるように設定される。
【００１４】
選択的に、前記第２信号処理ユニットは、
第１駆動信号及び保護信号に対してＡＮＤ演算を実行し、ＡＮＤ演算の結果を第２駆動信号とし、第２駆動信号が第１駆動信号outputＡ及び第２駆動信号outputＢを含み、
第３電圧信号Ｖleft及び第５電圧信号inputＡに対してＡＮＤ演算を実行し、第１駆動信号outputＡを取得し、第４電圧信号Ｖright及び第６電圧信号inputＢに対してAND演算を実行して、第２駆動信号outputＢを取得するように設定される。
【００１５】
本発明の実施例は、スイッチング電源を更に提供し、前記スイッチング電源は上記のいずれか１つの同期整流器回路を備える。
【発明の効果】
【００１６】
関連技術と比べて、本発明の実施例による技術的解決手段は、同期整流器回路における変圧器ユニットの二次巻線の電圧信号に基づき、保護信号を取得し、保護信号は変圧器ユニットの一次巻線におけるレベル反転に基づき同期反転を発生すること、得られた保護信号を利用して前記第１駆動信号を修正して第２駆動信号を取得すること、及び前記第２駆動信号に基づき同期整流回路における整流器を駆動すること、を含む。関連技術において第１駆動信号のみによって同期整流器の導通及び切断を制御し、本発明の実施例において保護信号は同期に変圧器ユニットの一次巻線におけるレベル反転に基づき同期反転を発生することができるため、保護信号で第１駆動信号を修正した後に得られた第２駆動信号によって、第１駆動信号が遅延領域におけるハイレベルを除去し、それにより第１駆動信号におけるレベル反転の遅延現象を取り消すことにより、同期整流器の誤導通の発生を避け、更に同期整流器が損壊される現象を減少し、同期整流器回路の性能を向上させ、同期整流器回路を含むスイッチング電源の性能を改善する。
【００１７】
図面及び詳しい説明を読んで理解した後に、その他の態様を分かることができる。
【図面の簡単な説明】
【００１８】
【図１】図１は、本発明の実施例１による同期整流器駆動方法を示すフローチャートである。
【図２】図２は、本発明の実施例２による同期整流器回路を示すブロック図である。
【図３Ａ】図３Ａは、本発明の実用的な実施例による同期整流器回路を示す回路構造図である。
【図３Ｂ】図３Ｂは、本発明の実用的な実施例による同期整流器回路を示す回路構造図である。
【図３Ｃ】図３Ｃは、本発明の実用的な実施例による同期整流器回路を示す回路構造図である。
【図３Ｄ】図３Ｄは、本発明の実用的な実施例による同期整流器回路を示す回路構造図である。
【図３Ｅ】図３Ｅは、本発明の実用的な実施例による同期整流器回路を示す回路構造図である。
【図３Ｆ】図３Ｆは、本発明の実用的な実施例による同期整流器回路を示す回路構造図である。
【図４Ａ】図４Ａは、本発明の実用実施例による整流回路を示す回路構造図である。
【図４Ｂ】図４Ｂは、本発明の実用実施例による第１比較回路を示す回路構造図である。
【図４Ｃ】図４Ｃは、本発明の実用実施例による電圧検出回路を示す回路構造図である。
【図４Ｄ】図４Ｄは、本発明の実用実施例による第２比較回路を示す回路構造図である。
【図４Ｅ】図４Ｅは、本発明の実用実施例によるインターロッキング回路を示す回路構造図である。
【図５】図５は、上記同期整流器回路における複数の信号の対比模式図である。
【発明を実施するための形態】
【００１９】
以下、図面を参照して本発明の実施例を詳しく説明する。なお、矛盾が生じない場合に、本出願における実施例及び実施例における様々な方式を互いに組わせることができる。
実施例１
【００２０】
図１を参照して、本発明の実施例は、同期整流器駆動方法を提供し、同期整流器回路における整流器を駆動することに用いられ、前記同期整流器回路は変圧器ユニットを備え、前記同期整流器駆動方法は、変圧器ユニットの二次巻線における出力電流を検出し、且つ前記出力電流に基づき、第１駆動信号を生成することを含み、前記方法は、ステップ１００〜ステップ３００を含む。
ステップ１００、変圧器ユニットの二次巻線の電圧信号に基づき、保護信号を取得し、
前記保護信号は変圧器ユニットの一次巻線におけるレベル反転に基づき同期反転を発生し、
前記変圧器ユニットの二次巻線の電圧信号に基づき、保護信号を取得することは、
変圧器ユニットの二次巻線の両端の第１電圧及び第２電圧を検出し、前記第１電圧及び第２電圧の比較結果に基づき、前記保護信号を取得することを含む。
【００２１】
前記第１電圧及び第２電圧の比較結果に基づき、前記保護信号を取得することは、保護信号が電圧信号inputＡ及び電圧信号inputＢを含み、第１電圧ＶＡが第２電圧ＶＢより大きい際に、電圧信号inputＡがハイレベル信号であり、電圧信号inputＢがローレベル信号であり、第１電圧ＶＡが第２電圧ＶＢより小さい際に、電圧信号inputＡがローレベル信号であり、電圧信号inputＢがハイレベル信号であることを含む。
【００２２】
ステップ２００、前記第１駆動信号及び前記保護信号（得られた保護信号を利用して前記第１駆動信号を修正する）に基づき、前記第２駆動信号を取得することは、
第１駆動信号及び保護信号に対してＡＮＤ演算を実行し、ＡＮＤ演算の結果を第２駆動信号とすることを含む。
【００２３】
ステップ３００、前記第２駆動信号に基づき、同期整流回路における整流器を駆動する。
実施例２
【００２４】
上記の実施例と同じまたは類似の構想に基づいて、本発明の実施例は、同期整流器回路を更に提供し、図２は、本発明の実施例による同期整流器回路を示すブロック図であり、図２に示すように、本発明の実施例による同期整流器回路は、変圧器ユニット１０、電流サンプリングユニット２０、第１信号処理ユニット３０、保護ユニット４０、第２信号処理ユニット５０、駆動ユニット６０、及び同期整流器ユニット７０を備え、
電流サンプリングユニット２０は、変圧器ユニット１０の二次巻線における出力電流を検出するように設定され、
第１信号処理ユニット３０は、変圧器ユニット１０の二次巻線における出力電流に基づき、第１駆動信号を生成するように設定され、
保護ユニット４０は、同期整流器回路における変圧器ユニット１０の二次巻線の電圧信号に基づき、保護信号を取得するように設定され、
第２信号処理ユニット５０は、得られた保護信号を利用して前記第１駆動信号を修正して第２駆動信号を取得するように設定され、
駆動ユニット６０は、前記第２駆動信号に基づき同期整流回路における整流器を駆動するように設定される。
【００２５】
前記保護信号は変圧器ユニット１０の一次巻線におけるレベル反転に基づき同期反転を発生する。
【００２６】
同期整流器ユニット７０における同期整流器は変圧器ユニット１０の二次巻線に接続される。
【００２７】
本発明の実施例において、変圧器ユニット１０は１つまたは複数の変圧器を含み、各変圧器がいずれも１つまたは複数の二次巻線を含み、前記電流サンプリングユニット２０は第１計器用変成器及び整流回路を含み、
第１計器用変成器の一次側は第１二次巻線に直列接続され、前記第１二次巻線はいずれか１つの変圧器に対応する二次巻線の中の１つであり、第１計器用変成器の二次側は整流回路に接続され、整流回路は第１計器用変成器が出力した電流信号に基づき電圧信号ＶＲleft及びＶＲrightを生成する。
【００２８】
本発明の実施例において、前記第１信号処理ユニット３０は第１比較回路を含み、前記第１駆動信号は電圧信号Ｖleft及びＶrightを含み、
第１比較回路に基準電圧Ｖref1が設定され、第１比較回路は電圧信号ＶＲleftと基準電圧Ｖref1を比較することによって、電圧信号Ｖleftを取得し、電圧信号ＶＲrightと基準電圧Ｖref1を比較することによって、電圧信号Ｖrightを取得する。電圧信号Ｖleft及びＶrightはいずれも方形波信号である。
【００２９】
本発明の実施例において、前記保護ユニット４０は電圧検出回路及び第２比較回路を含み、前記保護信号は電圧信号inputＡ及びinputＢを含み、
前記電圧検出回路の入力端はそれぞれ第２二次巻線の両端に接続され、且つ検出された電圧信号ＶＡ及びＶＢを前記第２比較回路に供給し、前記第２二次巻線はいずれか１つの変圧器に対応する二次巻線の中の１つであり、
前記第２比較回路は検出された電圧信号ＶＡ及びＶＢに基づき、電圧信号ＶＡとＶＢを比較して、電圧信号inputＡ及びinputＢを取得する。前記第２比較回路は、電圧信号ＶＡ（上記方法における前記第１電圧ＶＡ）が電圧信号ＶＢ（上記方法における前記第２電圧ＶＢ）より大きい際に、出力した電圧信号inputＡがハイレベル信号であり、出力した電圧信号inputＢがローレベル信号であり、電圧信号ＶＡが電圧信号ＶＢより小さい際に、出力した電圧信号inputＡがローレベル信号であり、出力した電圧信号inputＢがハイレベル信号であるように設定される。
【００３０】
本発明の実施例において、前記第２信号処理ユニットは、
第１駆動信号及び保護信号に対してＡＮＤ演算を実行し、ＡＮＤ演算の結果を第２駆動信号とし、第２駆動信号が駆動信号outputＡ及び駆動信号outputＢを含むように設定され、
電圧信号Ｖleft及び電圧信号inputＡに対してＡＮＤ演算を実行し、駆動信号outputＡを取得し、電圧信号Ｖright及び電圧信号inputＢに対してＡＮＤ演算を実行し、駆動信号outputＢを取得する。
【００３１】
以下でアプリケーションのシナリオを結合して説明する。
【００３２】
実用例1
図３Ａを参照して、上記実施例に挙げられた同期整流器回路に基づいて、本実施例は同期整流器回路を提供する。図３Ａに示すように、同期整流器回路において、前記変圧器ユニット１０は１つの変圧器Ｔ１を含み、変圧器Ｔ１は１つの二次巻線を含み、同期整流器ユニット７０は４つの同期整流器を含み、それぞれ整流器ＳＲ１、ＳＲ２、ＳＲ３及びＳＲ４であり、ＳＲ１及びＳＲ３は同一のブリッジアームに位置し、ＳＲ２及びＳＲ４は同一のブリッジアームに位置する。
【００３３】
前記電流サンプリングユニット２０は第１計器用変成器（本例において変流器Ｔ２である）及び整流回路を含み、変流器Ｔ２の一次側は変圧器Ｔ１の二次巻線に直列接続され、変流器Ｔ２の二次側は整流回路に接続される。変流器Ｔ２は変圧器Ｔ１の二次巻線に直列接続された後にフルブリッジ同期整流器ＳＲ１のソースに接続され、変流器Ｔ２の一次側が検出した電流は交流電流信号であり、変流器Ｔ２の二次側の両端は整流回路に接続される。整流回路は第１計器用変成器Ｔ２が出力した電流信号に基づき電圧信号ＶＲleft及びＶＲrightを生成する。
【００３４】
第１比較回路（本例において比較回路１である）に基準電圧Ｖref1が設定され、第１比較回路は電圧信号ＶＲleftと基準電圧Ｖref1を比較することによって、電圧信号Ｖleftを取得し、電圧信号ＶＲrightと基準電圧Ｖref1を比較することによって、電圧信号Ｖrightを取得する。電圧信号Ｖleft及びＶrightはいずれも方形波信号である。
【００３５】
保護ユニット４０は電圧検出回路及び第２比較回路を含み（本例において比較回路２である）、前記保護信号は電圧信号inputＡ及びinputＢである。前記電圧検出回路の入力端はそれぞれ第２二次巻線の両端に接続され、電圧検出回路はそれぞれ同期整流器ＳＲ１のソースＡ点と同期整流器ＳＲ４のドレインＢ点が接地する電圧を検出し、電圧信号ＶＡ及びＶＢを取得し、電圧検出回路は検出された電圧信号ＶＡ及びＶＢを比較回路２に供給し、前記第２比較回路は検出された電圧信号ＶＡ及びＶＢに基づき、電圧信号ＶＡとＶＢを比較し、電圧信号inputＡ及びinputＢ（保護信号）を取得する。
【００３６】
前記第１電圧と第２電圧の比較結果に基づき、前記保護信号を取得することは、保護信号は電圧信号inputＡ及びinputＢを含み、電圧信号ＶＡが電圧信号ＶＢより大きい際に、inputＡがハイレベル信号であり、inputＢがローレベル信号であり、電圧信号ＶＡが電圧信号ＶＢより小さい際に、inputＡがローレベル信号であり、inputＢがハイレベル信号である。
第２信号処理ユニット５０（本例においてインターロッキング回路である）は、前記第１駆動信号及び前記保護信号に基づき、前記第２駆動信号（outputＡ及びoutputＢ信号）を取得するように設定される。Ｖleft 及びＶrightはインターロッキング回路によってそれぞれ保護信号inputＡ及びinputＢに対して論理「ＡＮＤ」演算処理を実行し、outputＡ及びoutputＢ信号を生成する。
【００３７】
駆動ユニット６０（本例において駆動回路である）は、前記第２駆動信号に基づき、前記同期整流器ユニット７０におけるすべての整流器を駆動するように設定される。Ｖleft信号は変換された後に最終的に同期整流器ＳＲ１とＳＲ４のベースとソースとの間の駆動電圧信号Ｖｇ(ＳＲ１、ＳＲ４)に対応し、つまり、outputＡ信号を変換して、Ｖｇ(ＳＲ１、ＳＲ４)を取得し、Ｖｇ(ＳＲ１、ＳＲ４)は同期整流器ＳＲ１及びＳＲ４を駆動することに用いられ、Ｖright信号は変換された後に最終的に同期整流器ＳＲ２、ＳＲ３のベースとソースとの間の駆動電圧信号Ｖｇ(ＳＲ２、ＳＲ３)に対応し、つまり、outputＢ信号を変換して、Ｖｇ(ＳＲ２、ＳＲ３)を取得し、Ｖｇ(ＳＲ２、ＳＲ３)は同期整流器ＳＲ２及びＳＲ３を駆動することに用いられる。
【００３８】
実用例２
図３Ｂを参照して、上記の実施例に挙げられた同期整流器回路と同じまたは類似の構想に基づいて、本実施例は、同期整流器回路を提供する。図３Ｂに示すように、同期整流器回路において、前記変圧器ユニット１０は１つの変圧器Ｔ１を含み、各変圧器がいずれも２つの二次巻線を含み、それぞれＩＳ１２及びＩＳ１３であり、２つの巻線ＩＳ１２及びＩＳ１３は並列接続関係であり、各二次巻線はそれぞれ１つのフルブリッジ同期整流回路に接続される。同期整流器ユニット７０は８つの同期整流器を含み、それぞれ整流器ＳＲ１、ＳＲ２、ＳＲ３、ＳＲ４、ＳＲ５、ＳＲ６、ＳＲ７及びＳＲ８であり、ＳＲ１及びＳＲ３が同一のブリッジアームに位置し、ＳＲ２及びＳＲ４が同一のブリッジアームに位置し、ＳＲ５及びＳＲ６が同一のブリッジアームに位置し、ＳＲ７及びＳＲ８が同一のブリッジアームに位置する。
【００３９】
前記電流サンプリングユニット２０は第１計器用変成器（本例において変流器Ｔ２である）及び整流回路を含み、変流器Ｔ２の一次側は変圧器Ｔ１の二次巻線ＩＳ１２に直列接続され、変流器Ｔ２の二次側は整流回路に接続される。変流器Ｔ２は変圧器Ｔ１の二次巻線ＩＳ１２に直列接続された後にフルブリッジ同期整流器ＳＲ１のソースに接続され、変流器Ｔ２の二次側の両端は整流回路に接続される。整流回路は第１計器用変成器Ｔ２が出力した電流信号に基づき電圧信号ＶＲleft及びＶＲrightを生成する。
【００４０】
第１比較回路（本例において比較回路１である）に基準電圧Ｖref1が設けられ、第１比較回路は電圧信号ＶＲleftと基準電圧Ｖref1を比較することによって、電圧信号Ｖleftを取得し、電圧信号ＶＲrightと基準電圧Ｖref1を比較することによって、電圧信号Ｖrightを取得する。電圧信号Ｖleft及びＶrightはいずれも方形波信号である。
【００４１】
保護ユニット４０は電圧検出回路及び第２比較回路を含み（本例において比較回路２である）、前記保護信号は電圧信号inputＡ及び電圧信号inputＢである。前記電圧検出回路の入力端はそれぞれ二次巻線ＩＳ１３の両端に接続され、電圧検出回路はそれぞれ同期整流器ＳＲ５のソースＡ点と同期整流器ＳＲ８のドレインＢ点が接地する電圧を検出し、電圧信号ＶＡ及びＶＢを取得し、電圧検出回路は検出された電圧信号ＶＡ及びＶＢを比較回路２に供給し、前記第２比較回路は検出された電圧信号ＶＡ及びＶＢに基づき、電圧信号ＶＡ及びＶＢを比較し、保護信号（電圧信号inputＡ及び電圧信号inputＢ）を取得する。
【００４２】
本実施例において、Ｖleft信号は回路変換された後に最終的に同期整流器ＳＲ１、ＳＲ４、ＳＲ５、ＳＲ８のベースとソースとの間の駆動電圧信号Ｖｇ(ＳＲ１、ＳＲ４、ＳＲ５、ＳＲ８)に対応し、Ｖright信号は回路変換された後に最終的に同期整流器ＳＲ２、ＳＲ３、ＳＲ６、ＳＲ７のベースとソースとの間の駆動電圧信号Ｖｇ(ＳＲ２、ＳＲ３、ＳＲ６、ＳＲ７)に対応する。
【００４３】
本実施例において、変流器は二次巻線ＩＳ１２に直列接続され、電圧検出回路は二次巻線ＩＳ１３に並列接続され、なお、変流器及び電圧検出回路は同一のフルブリッジ同期整流回路に位置する方式によって実現されることもでき、つまり、変流器と電圧検出回路とはいずれも同一の二次巻線ＩＳ１２に接続され、或いは変流器と電圧検出回路とはいずれも同一の二次巻線ＩＳ１３に接続される。
【００４４】
実用例３
図３Ｃを参照し、上記の実施例に挙げられた同期整流器回路と同じまたは類似の構想に基づいて、本実施例は、同期整流器回路を提供する。図３Ｃに示すように、同期整流器回路において、前記変圧器ユニット１０は変圧器Ｔ１及びＴ２を含み、変圧器Ｔ１及びＴ２の一次巻線は直列接続関係であり、各変圧器はいずれも１つの二次巻線を含み、変圧器Ｔ１に対応する二次巻線が二次巻線ＩＳ１２であり、変圧器Ｔ２に対応する二次巻線が二次巻線ＩＳ１３であり、各二次巻線はそれぞれ１つのフルブリッジ同期整流回路に接続される。同期整流器ユニット７０は８つの同期整流器を含み、それぞれ整流器ＳＲ１、ＳＲ２、ＳＲ３、ＳＲ４、ＳＲ５、ＳＲ６、ＳＲ７及びＳＲ８であり、ＳＲ１とＳＲ３とは同一のブリッジアームに位置し、ＳＲ２とＳＲ４とは同一のブリッジアームに位置し、ＳＲ１、ＳＲ２、ＳＲ３、及びＳＲ４からなる同期整流器ユニット７０は二次巻線ＩＳ１２に接続され、ＳＲ５とＳＲ６とは同一のブリッジアームに位置し、ＳＲ７とＳＲ８とは同一のブリッジアームに位置し、ＳＲ５、ＳＲ６、ＳＲ７及びＳＲ８からなる同期整流器ユニット７０は二次巻線ＩＳ１３に接続される。
【００４５】
前記電流サンプリングユニット２０は第１計器用変成器（本例において変流器Ｔ２である）及び整流回路を含み、変流器Ｔ２の一次側は変圧器Ｔ１の二次巻線ＩＳ１２に直列接続され、変流器Ｔ２の二次側は整流回路に接続される。変流器Ｔ２は変圧器Ｔ１の二次巻線ＩＳ１２に直列接続された後にフルブリッジ同期整流器ＳＲ１のソースに接続され、変流器Ｔ２の二次側の両端は整流回路に接続される。整流回路は第１計器用変成器Ｔ２が出力した電流信号に基づき電圧信号ＶＲleft及びＶＲrightを生成する。
【００４６】
第１比較回路（本例において比較回路１である）に基準電圧Ｖref1が設定され、第１比較回路は電圧信号ＶＲleftと基準電圧Ｖref1を比較することによって、電圧信号Ｖleftを取得し、電圧信号ＶＲrightと基準電圧Ｖref1を比較することによって、電圧信号Ｖrightを取得する。電圧信号Ｖleft及びＶrightはいずれも方形波信号である。
【００４７】
保護ユニット４０は電圧検出回路及び第２比較回路を含み（本例において比較回路２である）、前記保護信号は電圧信号inputＡ及びinputＢである。前記電圧検出回路の入力端はそれぞれ二次巻線ＩＳ１３の両端に接続され、電圧検出回路はそれぞれ同期整流器ＳＲ５のソースＡ点と同期整流器ＳＲ８のドレインＢ点が接地する電圧を検出し、電圧信号ＶＡ及びＶＢを取得し、電圧検出回路は検出された電圧信号ＶＡ及びＶＢを比較回路２に供給し、前記第２比較回路は検出された電圧信号ＶＡ及びＶＢに基づき、電圧信号ＶＡ及びＶＢを比較し、電圧信号inputＡ及びinputＢ（保護信号）を取得する。
【００４８】
本実施例において、Ｖleft信号は回路変換された後に最終的に同期整流器ＳＲ１、ＳＲ４、ＳＲ５、ＳＲ８のベースとソースとの間の駆動電圧信号Ｖｇ(ＳＲ１、ＳＲ４、ＳＲ５、ＳＲ８)に対応し、Ｖright信号は回路変換された後に最終的に同期整流器ＳＲ２、ＳＲ３、ＳＲ６、ＳＲ７のベースとソースとの間の駆動電圧信号Ｖｇ(ＳＲ２、ＳＲ３、ＳＲ６、ＳＲ７)に対応する。
【００４９】
２つの変圧器Ｔ１及びＴ２を直列接続して使用することによって、同じ電力出力を実現する場合に、図３Ａにおける同期整流器回路の構造に対して、本例において、単一の変圧器が担う電力は小さくなるため、変圧器のタイプ選択がより柔軟であり、同時に図１の同期整流器ユニット７０に対して、本例において８つの同期整流器によって同期整流を実現し、単一の同期整流器の電力が減少し、効率がより高く、同時にタイプ選択がより柔軟であり、上記の要素をまとめ、同期整流器回路の効率が高くなる。
【００５０】
本実施例において、変流器は二次巻線ＩＳ１２に直列接続され、電圧検出回路は二次巻線ＩＳ１３に並列接続され、なお、変流器及び電圧検出回路は同一のフルブリッジ同期整流回路に位置する方式によって実現されることもでき、つまり、変流器と電圧検出回路とはいずれも同一の二次巻線ＩＳ１２に接続され、或いは変流器と電圧検出回路とはいずれも同一の二次巻線ＩＳ１３に接続される。
【００５１】
実用例４
図３Ｄを参照し、上記の実施例に挙げられた同期整流器回路と同じまたは類似の構想に基づいて、本実施例は、同期整流器回路を提供する。本実施例による同期整流器回路と図３Ａに示す同期整流器回路との区別は本実施例による同期整流器回路は１つの全波倍電圧同期整流回路である。
【００５２】
図３Ｄに示すように、同期整流器回路において、前記変圧器ユニット１０は１つの変圧器Ｔ１を含み、変圧器Ｔ１が１つの二次巻線を含み、同期整流器ユニット７０は２つの同期整流器ＳＲ１、ＳＲ２及び２つのコンデンサＣ１、Ｃ２を含む。
【００５３】
前記電流サンプリングユニット２０は第１計器用変成器（本例において変流器Ｔ２である）及び整流回路を含み、変流器Ｔ２の一次側は変圧器Ｔ１の二次巻線に直列接続され、変流器Ｔ２の二次側は整流回路に接続される。変流器Ｔ２は変圧器Ｔ１の二次巻線に直列接続された後にフルブリッジ同期整流器ＳＲ１のソースに接続され、変流器Ｔ２の一次側が検出した電流は交流電流信号であり、変流器Ｔ２の二次側の両端は整流回路に接続される。整流回路は第１計器用変成器Ｔ２が出力した電流信号に基づき電圧信号ＶＲleft及びＶＲrightを生成する。
【００５４】
保護ユニット４０は電圧検出回路及び第２比較回路を含み（本例において比較回路２である）、前記保護信号は電圧信号inputＡ及び電圧信号inputＢである。前記電圧検出回路の入力端はそれぞれ第２二次巻線の両端に接続され、電圧検出回路はそれぞれ同期整流器ＳＲ１のソースＡ点が接地する電圧及びコンデンサＣ２の両端の電圧を検出し、電圧信号ＶＡ及びＶＢを取得し、電圧検出回路は検出された電圧信号ＶＡ及びＶＢを比較回路２に供給し、前記第２比較回路は検出された電圧信号ＶＡ及びＶＢに基づき、電圧信号ＶＡ及びＶＢを比較し、電圧信号inputＡ及び電圧信号inputＢ（保護信号）を取得する。
【００５５】
駆動ユニット６０（本例において駆動回路である）は、前記第２駆動信号に基づき、前記同期整流器ユニット７０におけるすべての整流器を駆動するように設定される。Ｖleft信号が変換された後に最終的に同期整流器ＳＲ１のベースとソースとの間の駆動電圧信号Ｖｇ(ＳＲ１)に対応し、つまり、outputＡ信号を変換してＶｇ(ＳＲ１)を取得し、Ｖｇ(ＳＲ１)は同期整流器ＳＲ１を駆動することに用いられ、Ｖright信号が変換された後に最終的に同期整流器ＳＲ２、ＳＲ３のベースとソースとの間の駆動電圧信号Ｖｇ(ＳＲ２、ＳＲ３)に対応し、つまり、outputＢ信号を変換してＶｇ(ＳＲ２)を取得し、Ｖｇ(ＳＲ２)は同期整流器ＳＲ２を駆動することに用いられる。
【００５６】
実用例５
図３Ｅを参照し、上記の実施例に挙げられた同期整流器回路と同じまたは類似の構想に基づいて、本実施例は、同期整流器回路を提供する。本実施例による同期整流器回路と図３Ｄに示す同期整流器回路との区別は本実施例による同期整流器回路において、主変圧器Ｔ１の二次側に２つの上巻線が接続され、該２つの巻線は並列接続関係であり、各二次巻線はそれぞれ１つの全波倍電圧同期整流回路に接続される。
【００５７】
図３Ｅに示すように、電流サンプリングディバイスである変流器Ｔ２は第１全波倍電圧同期整流回路に接続され、電圧検出回路は第２全波倍電圧同期整流回路における二次巻線の両端の電圧を検出する。
【００５８】
本実施例におけるＶleft信号は回路変換された後に最終的に同期整流器ＳＲ１、ＳＲ３のベースとソースとの間の駆動電圧信号Ｖｇ(ＳＲ１、ＳＲ３)に対応し、Ｖright信号は回路変換された後に最終的に同期整流器ＳＲ２、ＳＲ４のベースとソースとの間の駆動電圧信号Ｖｇ(ＳＲ２、ＳＲ４)に対応する。
【００５９】
本実施例も変流器及び電圧検出回路が同一の全波倍電圧同期整流回路に位置する方式によって実現することができる。
【００６０】
本実施例において、主変圧器Ｔ１の二次側に２つ以上の二次巻線が接続されることもでき、これらの巻線の間は並列接続関係であり、各二次巻線はそれぞれ１つの全波倍電圧同期整流回路に接続され、電流サンプリング及び電圧検出は同一の全波倍電圧同期整流回路内に位置することができ、それぞれ２つの全波倍電圧同期整流回路に位置してもよい。
【００６１】
実用例６
図３Ｆを参照して、上記の実施例に挙げられた同期整流器回路と同じまたは類似の構想に基づいて、本実施例は、同期整流器回路を提供する。本実施例による同期整流器回路と図３Ｄに示す同期整流器回路との区別は本実施例による同期整流器回路において、２つの主変圧器を有し、それぞれ主変圧器Ｔ１及び主変圧器Ｔ３であり、２つの主変圧器の二次側にそれぞれ１つの全波倍電圧同期整流回路が接続され、２つの主変圧器の一次巻線は直列関係である。
【００６２】
図３Ｆに示すように、電流サンプリングディバイスである変流器Ｔ２は第１全波倍電圧同期整流回路に接続され、電圧検出回路は第２全波倍電圧同期整流回路における二次巻線の両端の接地電圧を検出する。
【００６３】
本実施例において、Ｖleft信号は回路変換された後に最終的に同期整流器ＳＲ１、ＳＲ３のベースとソースとの間の駆動電圧信号Ｖｇ(ＳＲ１、ＳＲ３)に対応し、Ｖright信号は回路変換された後に最終的に同期整流器ＳＲ２、ＳＲ４のベースとソースとの間の駆動電圧信号Ｖｇ(ＳＲ２、ＳＲ４)に対応する。
【００６４】
本実施例も変流器及び電圧検出回路が同一のフルブリッジ整流回路に位置する方式によって実現することができる。
【００６５】
本発明の実施例において、電流サンプリングユニット２０における電流サンプリングディバイスに使用されるのは変流器であり、その他の方式で二次巻線の電流信号を検出してもよく、例えば、二次巻線に１つの抵抗が直列接続され、二次巻線の電流信号の検出を実現することもできる。
【００６６】
本発明の実施例において、変圧器ユニット１０における変圧器の数は２つ以上であってよく、これらの主変圧器の一次巻線の間にいずれも直列接続関係であり、各主変圧器の二次巻線はそれぞれ１つの全波倍電圧同期整流回路に接続され、電流サンプリングユニット２０と電圧検出回路とは同一のフルブリッジ同期整流回路内に設定されてよく、それぞれ異なる２つのフルブリッジ同期整流回路に設定してもよい。
【００６７】
実用例７
図４Ａを参照し、本実施例による整流回路の回路構造図は、図４Ａに示すように、変流器Ｔ２の二次ＩＳ１１側は同時に整流ダイオードＤ１の陽極及び整流ダイオードＤ４の陰極に接続され、変流器Ｔ２の二次ＩＳ１２側は同時に整流ダイオードＤ２の陰極及び整流ダイオードＤ３の陽極に接続され、ダイオードＤ１の陰極とダイオードＤ２の陽極との間に検出抵抗Ｒ１が接続され、ダイオードＤ３の陰極とダイオードＤ４の陽極との間に検出抵抗Ｒ２が接続され、ダイオードＤ２及びＤ４の陽極は同時にグランド信号に接続され、ダイオードＤ１の陰極とグランドとの間にＶＲright信号を発生し、ダイオードＤ３の陰極とグランドとの間にＶＲleft信号を発生する。
【００６８】
実用例８
図４Ｂを参照して、本実施例による第１比較回路の回路構造図は、図４Ｂに示すように、ＶＲleft信号はコンパレータ１の入力「＋」端に接続され、ＶＲright信号はコンパレータ２の入力「＋」端に接続され、Ｖref1信号は同時にコンパレータ１及びコンパレータ２の「-」端に接続され、コンパレータ１の出力信号はＶleft信号であり、コンパレータ２の出力信号はＶright信号である。
【００６９】
実用例９
図４Ｃを参照し、本実施例による電圧検出回路の回路構造図は、図４Ｃに示すように、検出抵抗Ｒ３とＲ４とは直列接続された後にＡ点とグランド信号との間に接続され、検出抵抗Ｒ５とＲ６とは直列接続された後にＢ点とグランド信号との間に接続され、検出抵抗Ｒ３とＲ４との接続点にＶＡ信号を生成し、検出抵抗Ｒ５とＲ６の接続点にＶＢ信号を生成する。
【００７０】
実用例１０
図４Ｄを参照し、本実施例による第２比較回路の回路構造図は、図４Ｄに示すように、ＶＡ信号が同時にコンパレータ１の入力「−」端及びコンパレータ２の入力「＋」端に接続され、ＶＢ信号が同時にコンパレータ１の入力「＋」端及びコンパレータ２の入力「−」端に接続され、コンパレータ１の出力端信号はinputＢであり、コンパレータ２の出力端信号はinputＡである。
【００７１】
実用例１１
図４Ｅを参照し、本実施例によるインターロッキング回路の回路構造図は、図４Ｅに示すように、インターロッキング回路は２つのＡＮＤゲートを含み、信号inputＡ及び信号ＶrightはそれぞれＡＮＤゲート１の２つの入力端に接続され、信号inputＢと信号ＶleftとはそれぞれＡＮＤゲート２の２つの入力端に接続され、ＡＮＤゲート１の出力端信号はoutputＡであり、ＡＮＤゲート２の出力端信号はoutputＢである。
【００７２】
以下、図３Ａに示す同期整流器回路を結合して、主変圧器Ｔ１の二次電流の１つの正弦電流周期を例として回路の作動過程を分析する。図５を参照し、上記同期整流器回路における複数の信号の対比模式図である。図５に示すように、主変圧器の二次側電流Ｉは二次側のドット端末から流れ出し、電流Ｉは正の半周で零から増長し、整流回路の出力電圧ＶＲleftは基準電圧Ｖref1より低い際に、Ｖleft信号がローレベル信号であり、同期整流器ＳＲ１及びＳＲ４は駆動電圧がなく、電流ＩはＳＲ１及びＳＲ４のボディ内寄生ダイオードによって流れ、電流Ｉが一定の値まで増加する際に、整流回路の出力電圧ＶＲleftは基準電圧Ｖref1より高い際に、Ｖleft信号がハイレベル信号であり、この時、該ハイレベルのタイプは駆動回路によって同期整流器ＳＲ１及びＳＲ４の導通を駆動し、電流信号Ｉが次第に零に減少する際に、整流回路の出力電圧ＶＲleftは基準電圧Ｖref1より小さい場合に、Ｖleft信号がローレベル信号であり、同期整流器ＳＲ１及びＳＲ４を切断する。
【００７３】
主変圧器電流Ｉは正の半周から負の半周まで変化した後に、整流回路の出力電圧ＶＲrightは基準電圧Ｖref1より小さい際に、Ｖright信号がローレベル信号であり、同期整流器ＳＲ２及びＳＲ３に駆動電圧がなく、電流ＩはＳＲ２及びＳＲ３のボディ内寄生ダイオードによって流れ、電流Ｉが一定の値まで増加する際に、整流回路の出力電圧ＶＲrightは基準電圧Ｖref1より高い場合に、Ｖright信号がハイレベル信号になり、この時、該ハイレベルのタイプは駆動回路によって同期整流器ＳＲ２及びＳＲ３の導通を駆動し、電流信号Ｉrightは次第に零に減少する際に、整流回路の出力電圧ＶＲrightは基準電圧Ｖref1より低い場合に、Ｖright信号がローレベル信号であり、同期整流器ＳＲ２及びＳＲ３を切断する。
【００７４】
しかし、信号処理回路１に遅延現象が存在するため、変流器の一次電流が零に降下した際に、コンパレータ１とコンパレータ２の出力信号ＶleftやＶrightにもヒステリシス遅延が存在し、図５におけるＶleft及びＶright信号の点線で示される。Ｖleft及びＶrightにおいて、この遅延信号を処理しなければ同一のブリッジアームにおける同期整流器ＳＲ１及びＳＲ３又はＳＲ２及びＳＲ４を同時に導通させ直接導通現象を発生してしまい、直接導通は同期整流器の損壊を引き起こす。
【００７５】
本発明の実施例は電圧検出回路を利用して図におけるＡ点及びＢ点が接地する電圧ＶＡ及びＶＢを検出し、変圧器の二次側で電流Ｉが正であり、変圧器の二次側のドット端末から流れ出す際に、Ａ点接地電圧ＶＡはＢ点接地電圧ＶＢより高く、コンパレータ３の出力inputＢはローレベルであり、コンパレータ４の出力inputＡはハイレベルであり、電流は正の半周から負の半周まで変換する際に、Ａ点接地電圧ＶＡはＢ点接地電圧ＶＢより低く、コンパレータ３の出力inputＢはローレベルからハイレベルまで変化し、コンパレータ４の出力inputＡはハイレベルからローレベルに変化し、変圧器の二次電流に遅延が発生しないため、inputＡ及びinputＢ信号は変圧器の一次電流のゼロ交差に伴って正確に反転し、波形を図５に示す。
【００７６】
インターロッキング回路はinputＡ及びinputＢをそれぞれＶleft 及びＶrightと「ＡＮＤ」操作し、inputＡ及びinputＢは正確で遅延が発生しないため、Ｖleft及びＶrightに遅延が発生してＶleftとＶrightが同時にハイレベルである時点があるとしても、図５における網掛け領域に示すように、inputＡ及びinputＢをそれぞれＶleft及びＶrightと「ＡＮＤ」操作した後に、出力信号outputＡ及びoutputＢ信号は関連技術における同時にハイレベルである領域がなく、このように、outputＡ信号を使用して同期整流器ＳＲ１、ＳＲ４の導通を駆動し、outputＢ信号は同期整流器ＳＲ２、ＳＲ３の導通を駆動して同一のブリッジアームにおける２つのスイッチトランジスタの同時導通を発生しなく、同期整流器の損壊を避ける。
【００７７】
上記の実施例と同じまたは類似の構想に基づいて、本発明の実施例はスイッチング電源を更に提供し、前記スイッチング電源は上記実施例によるいずれか１つの同期整流器回路を含む。
【産業上の利用可能性】
【００７８】
本発明の実施例において保護信号は同期に変圧器ユニットの一次巻線におけるレベル反転に基づき同期反転を発生することができるため、保護信号で第１駆動信号を修正した後に得られた第２駆動信号によって、第１駆動信号が遅延領域におけるハイレベルを除去し、それにより第１駆動信号におけるレベル反転の遅延現象を取り消すことにより、同期整流器の誤導通の発生を避け、更に同期整流器が損壊される現象を減少し、同期整流器回路の性能を向上させ、同期整流器回路を含むスイッチング電源の性能を改善する。  
【図１】
0006541280.tif 000002
【図２】
0006541280.tif 000003
【図３Ａ】
0006541280.tif 000004
【図３Ｂ】
0006541280.tif 000005
【図３Ｃ】
0006541280.tif 000006
【図３Ｄ】
0006541280.tif 000007
【図３Ｅ】
0006541280.tif 000008
【図３Ｆ】
0006541280.tif 000009
【図４Ａ】
0006541280.tif 000010
【図４Ｂ】
0006541280.tif 000011
【図４Ｃ】
0006541280.tif 000012
【図４Ｄ】
0006541280.tif 000013
【図４Ｅ】
0006541280.tif 000014
【図５】
0006541280.tif 000015